(57)【特許請求の範囲】
【請求項１】
地下構造物に設けられている蓋受枠の開口をほぼ覆える大きさを有する枠本体と、その固定のために端部に設けられた係合部材とを有し、比較的小型の開口に適した落下防止枠であって、係合部材は枠本体の外方へ移動可能、かつ弾性部材により外方へ付勢されるように組み合わされており、蓋受枠は開口内にほぼ全周に亘って設けられている下部フランジ部と上部フランジ部及び両フランジ部間の凹入部を有しており、この凹入部に枠本体と係合部材とが入り込んで係合状態となるように構成された地下構造物用落下防止枠。
【請求項２】
枠本体は、左右２本の側杆とそれら両側杆を結合した少なくとも２本の横杆とを有し、係合部材は、側杆と１本の横杆をガイドとして、側杆の長手方向に移動可能に設けられかつ係合部材は、１本の横杆に１端を掛け係合部材の内方端に他の１端を掛けた圧縮ばねを弾性部材として付勢されている請求項１記載の地下構造物用落下防止枠。
【請求項３】
枠本体は、蓋受枠の開口を横断して、両端が下部フランジ部と上部フランジ部の間の凹入部に入り込む長さの左右２本の側杆とそれら両側杆を結合した少なくとも２本の横杆とを有し、上部フランジ部には側杆の先端部を通過させる通過部が形成されており、通過部の側方に突出して当該側方位置にて上部フランジ部に下から係合可能なように、係合部材を左右の側杆の先端部に設けた構成を有している請求項１又は２記載の地下構造物用落下防止枠。
【請求項４】
係合部材は、左右の側杆を抱くように曲げ加工された略コ字状の横断面形状を有しており、枠本体の外方へ移動した状態においても枠本体と重なっていて、係合部材に加えられた外力がそのまま枠本体に伝えられるように構成された請求項１ないし３のいずれかに記載の地下構造物用落下防止枠。
【発明の詳細な説明】
【０００１】
【発明の属する技術分野】
本発明は、地下構造物に設けられている蓋受枠の開口をほぼ覆える大きさを有する枠本体と、その固定のために端部に設けられた係合部材とを有し、比較的小型の開口に適した落下防止枠に関するものである。
【０００２】
【従来の技術】
この種の落下防止枠は、従来、主として人孔鉄蓋（φ６００以上）について用いられており、地下構造物の開口への人や物の落ち込みを防止するとともに、昇降の際の梯子も兼ねるようにされているものが多い（特開２００１−３２３０５号、特許第３１０７３７３号等）。地下構造物の開口にはマンホールより小径のハンドホールなどと称されるものがあり、これらは直径３００〜４００ｍｍのものが多く、成人であれば全身が落下することはないが小児の場合にはその可能性が十分にある。より小径の開口を持つ蓋受枠はコストも低いため、近年その数を次第に増してきており、事故を防ぐ対策が望まれる。
【０００３】
しかしながら、従来のマンホール用の落下防止枠は昇降梯子を兼ねる構造を持つものが多いために、そのまま縮小して転用するということが困難である。昇降梯子を兼用しないマンホール用の落下防止枠もない訳ではなく、例えば餅焼き網のようなネットで開口を覆うものが市販されている。このネット型のものは周りの枠によって蓋受枠に固定するために取り付け取り外しが面倒であり、また小径化した場合に強度の不足が懸念される。
【０００４】
【発明が解決しようとする課題】
本発明は前記の点に着目してなされたもので、その課題は、より小径の蓋受枠に適するように廉価に供給することができ、しかも蓋受枠への着脱が容易で十分な強度も期待できる地下構造物用落下防止枠を提供することである。
【０００５】
【課題を解決するための手段】
上記の課題を解決するため、本発明の落下防止枠では、係合部材は枠本体の外方へ移動可能、かつ弾性部材により外方へ付勢されるように組み合わされてお
り、蓋受枠は開口内にほぼ全周に亘って設けられている下部フランジ部と上部フランジ部及び両フランジ部間の凹入部を有しており、この凹入部に枠本体と係合部材とが入り込んで係合状態となるように構成するという手段を講じている。
【０００６】
【発明の実施の形態】
本発明の落下防止枠は、地下構造物に設けられている蓋受枠の開口をほぼ覆える大きさを有する枠本体と、その固定のために端部に設けられた係合部材とを有する。開口をほぼ覆う大きさ、とは枠本体だけで開口を覆ってしまうことができるほどの大きさ、という意味であり、開口を覆うという目的のためには別の部材を必要としないということでもある。従って係合部材は枠本体の固定のために備わっている。このような構成は比較的小型の開口に適する。
【０００７】
係合部材は、枠本体の外方へ移動可能、かつ弾性部材によって、外方へ付勢されるように組み合わされている。枠本体の外方、とは枠本体の外という意味だけではなく、枠本体において中心部よりも外方に位置する箇所という意味をも含んでいる。故に係合部材は、枠本体の外に突き出さなくても良いしまた突き出しても良い。そして、その状態で係合部材と枠本体とが組み合わされ係合部材は枠本体の外方へ付勢されている。
【０００８】
蓋受枠は、開口の内側にほぼ全周に及ぶフランジ部を有しており、このフランジ部は下部フランジ部と上部フランジ部とから成り、しかも上部、下部両フランジ部間に凹入部を有している。つまり凹入部は上、下が各々フランジ部で仕切られ、外方が蓋受枠の外周部分で仕切られたほぼリング状の空所であり、内方のみ開いている。この凹入部に、枠本体と係合部材とが入り込んで係合状態となるもので、換言すると、係合状態となるために係合部材が弾性部材により枠本体と組み合わされているものである。
【０００９】
枠本体は、左右２本の側杆とそれら両側杆を結合した少なくとも２本の横杆とを有する。両側杆は蓋受枠の開口を横断して、両端が、凹入部に入り込む長さを有している形態を含む。この場合、側杆の先端部を通過させるために上部フランジ部に通過部を形成し、抜け出しを防止するために、通過部の側方における上部フランジ部に係合部材が下から係合可能とすることができる。
【００１０】
また、係合部材は、左右の側杆を抱くように曲げ加工された略コ字状の横断面形状を有しており、枠本体の外方へ移動した状態においても枠本体と重なっていて、係合部材に加えられた外力がそのまま枠本体に伝えられるように構成することができる。この構成によると、係合部材は常時側杆に重なって十分な強度が備わり、その状態で外力、例えば開口に踏み込んだ者の荷重、を受けるので外力はそのまま枠本体に伝えられ、簡単な構造でも破損しにくい。
【００１１】
【実施例】
以下図示の実施例を参照し本発明をより詳細に説明する。図１、図２に示した地下構造物用の蓋受枠１０は口径３００ｍｍないし４００ｍｍという規格の開口１１を有するものであり、開口内には、上部フランジ部１２と、下部フランジ部１３及び両フランジ部間の凹入部１４が設けられている。上部フランジ部１２は鉄蓋を受け支える受止駒１５を設ける部分として、下部フランジ部１３は取り付け座１６の内方延長部分として、また凹入部１４はそれらの間の空所として夫々或る種の蓋受枠１０には以前から備わっていたものであるから、この種の構造の蓋受枠１０を適用対象とした場合には上部フランジ部１２や下部フランジ部１３或いは凹入部１４を新たに設ける必要がない。
【００１２】
落下防止枠の枠本体２０は、蓋受枠１０の開口１１を横断して両端が下部フランジ部１３と上部フランジ部１２との間の凹入部１４に入り込む長さを有するもので左右２本の側杆２１、２２と、それらの両側杆２１、２２を結合した少なくとも前後２本の横杆２３、２４とを有している。左右の側杆２１、２２の先端部２１ａ、２２ａと、基端部２１ｂ、２２ｂとは、上部フランジ部１２の下に配置されるものであり、そのために先端部２１ａ、２２ａを通過させる通過部２５、２６が上部フランジ部１２に切欠状に形成されている（図３参照）。
【００１３】
凹入部１４に入り込んで係合状態にするための係合部材３１、３２は、左右の側杆２１、２２を抱くように曲げ加工された略コ字状の横断形状を有するとともに枠本体２０の横杆２３を通す前後方向に長いガイド孔３３を有しており、側杆２１、２２の長手方向にガイド孔３３の範囲で移動可能とされている（図４）。係合部材３１、３２はさらに上記の横杆２３に一端を掛け、係合部材３１、３２の内方端３４に他の一端を掛けた圧縮ばねを弾性部材３５として常時外方へ付勢されている。係合部材３１、３２の内方端３４は係合部材３１、３２を後退させる際の指掛け部としても使用される。
【００１４】
また、係合部材３１、３２の先端部が係合可能な通過部２５、２６の側方位置２７の内方にて、その一部２８を除去している。このことは係合部材３１、３２の操作量を少なくする。図中、３６、３６′はガイドリブで、枠本体２０の基端部２１ｂ、２２ｂの収まる箇所を規定するもの、３７は結合鎖で、枠本体２０を蓋受枠１０に結びつけておくものを示す。
【００１５】
本発明に係る地下構造物用落下防止枠を蓋受枠１０に取り付けるには、枠本体２０の後端部２１ｂ、２２ｂをガイドリブ３６、３６′間の凹入部１４、１４に差し込み、先端部２１ａ、２２ａを通過部２５、２６の上に倒すと、係合部材
３１、３２が通過部２５、２６の側方位置に当たるので、係合部材３１、３２の内方端３４を後方へ引き（図１矢印）、一旦引込めたのち落下防止枠の先端側を下部フランジ部上に載せてから離すようにする。このとき先端部２１ａ、２２ｂが下部フランジ１３に載置され、係合部材３１、３２は通過部２５、２６の側方位置２７、２７の上部フランジ部下に配置されるので、落下防止枠は前後左右上下いずれの方向にも動くことができない状態になり、開口１１を覆って人や物が落ち込もうとするときにそれらを受け止める。また地下構造物内の圧力が作用した場合にもそれに耐え、外されることはない。
【００１６】
落下防止枠を取り外す場合には、係合部材３１、３２の内方端３４、３４を後方へ引いて（図３、図４）、側方位置２７、２７の下から係合部材３１、３２を脱しさせ、上部フランジ部１２の上に、枠本体２０の先端部２１ａ、２２ａを上げてから基端部２１ｂ、２２ｂを引き出せば良い。このように本発明に係る落下防止枠の着脱は容易である。なおまた、落下防止枠自体２本の側杆２１、２２と横杆２３、２４とで構成することができ、かつ側杆２１、２２と一体の係合部材３１、３２によって抜け止めがなされるので、強固な構造ながら製造も容易である。
【００１７】
【発明の効果】
本発明は以上の如く構成されかつ作用するものであるから、廉価に供給することができるのでより小径の蓋受枠に適しており、蓋受枠への取り付け及び取り外しが容易で取り付け後に外れるおそれも少なく有用な落下防止枠を提供することができるという効果を奏する。
【図面の簡単な説明】
【図１】本発明に係る地下構造物用落下防止枠の実施例を示す平面図。
【図２】図１のもののＩＩ−ＩＩ線断面図。
【図３】使用状態を示す部分拡大平面図。
【図４】同じく部分拡大断面図。
【符号の説明】
１０  蓋受枠
１１  開口
１２  上部フランジ部
１３  下部フランジ部
１４  凹入部
２０  枠本体
２１、２２  側杆
２３、２４  横杆
２５、２６  通過部
３１、３２  係合部材
３５  弾性部材
【図１】
0003741985.tif 000002
【図２】
0003741985.tif 000003
【図３】
0003741985.tif 000004
【図４】
0003741985.tif 000005